(57)【要約】【課題】粘土質地盤からの、水抜きボーリングよる地下水の抜水。【解決手段】電気浸透法でマイナス側電極（１３）のボーリング孔（５）付近へ地下水（２０）を集め、その集められた地下水（２０）を、バイブレーター（１７）の振動で、まず、水抜きパイプ（６）とボーリング孔（５）とに隙間を造り、また。ストレーナー部に詰まっている土も排除し、地下水（５）が流れ易く、パイプ（６）内に入り易い状態にして、地山から地下水（２０）を呼込み、地下水を排出し地下水位（７）を低下する。【選択図】　　　　　図１
2004036369.tif 000002
【特許請求の範囲】
【請求項１】
地すべり地内に施工された、水抜きボーリング孔（５）の口元の地表（１）へ、マイナス側電極（１３）を差込んだり、ボーリング孔（５）内に電極（１３）を挿入する。プラス側電極（１４）は、水抜きボーリング孔（５）の直上もしくは、周辺の山腹部や滑落崖上の地表（１）へ差込む。それらの電極（１３・１４）は、必要に応じて複数セットする。その電極（１３・１４）へ、まず、発電機（８）から整流器（１２）へ電源コード（１０）を配線し、整流器（１２）からマイナス電流用コード（１１）は、ボーリング孔（５）口元やボーリング孔（５）内に挿入されているマイナス電極（１３）へつなぐ。プラス電流用コード（１３）は山腹等に差込まれているプラス電極（１４）につなぐ。
【請求項２】
コンクリート打設用バイブレーター（１７）を、ボーリング孔（５）内に挿入し、バイブレーター用コード（１６）を発電機（８）差込みプラグ（９）へ差込む。
【請求項３】
セットされた電極（１３・１４）とバイブレーター（１７）へ、発電機（８）から電流を流し、電気浸透法でマイナス側電極（１３）のボーリング孔（５）付近へ地下水（２０）を集め、その集められた地下水（２０）を、バイブレーター（１７）の振動で、まず、水抜きパイプ（６）とボーリング孔（５）とに隙間を造り、また。ストレーナー部に詰まっている土も排除し、地下水（５）が流れ易く、パイプ（６）内に入り易い状態にして、地山から地下水（２０）を呼込み、地下水を排出し地下水位（７）を低下する方法。
【発明の詳細な説明】
【０００１】
【発明の属する技術分野】
本発明は、地すべり等の防止方法の一つである、水抜きボーリングの排水量アップに関する。
【０００２】
【従来の技術】
これまで、実施されてきた水抜きボーリングは、地山に対して、上向き約＋５°の傾斜で施工されている。そのボーリング孔へは、孔壁保護用のストレーナーパイプを挿入し、パイプを介して口元から、地表へ地下水を自然排出している。
【０００３】
【発明が解決しようとする課題】
水抜きボーリングは、地すべり等の防止方法として、地すべりの規模を問わず、多くの場所で採用され、本工法の対策箇所も多くある。しかし、水抜きボーリングには、まだ解決されていない課題が残されている。その課題とは、水抜きボーリングを実施しても、地下水があまり排出されず、地下水位が低下しないことである。つまり、水抜きボーリング本来の目的が達せられていない。それは、地すべりの安全性の面から非常に由々しき問題である。
【０００４】
原因は、粘土質の地盤では、細粒な土質に加えて、膨張性に富み、吸水性のよい粘土鉱物を含むため、地下水が抜けず、水位は計画どおりに低下しない。また、粘土質の移動土塊（地すべり活動した土）は、脆弱化した土質で、ボーリングの孔壁は自立せず、水抜きパイプ及びストレーナー部へ密着し、地下水がパイプ内に入り込む余地がない。
【０００５】
上記の地盤状況下で、梅雨や融雪時期に地下水位が上昇すると、地すべりが再活動する。これまでは、その計画された斜面の安全率を確保するため、水抜きボーリングを含めた、地すべり防止工事を追加し補っていた。その結果工事費を膨大にすることになり、非常に不経済なことになっている。
【０００６】
過去に、この解決する方法として、水が直流電流のマイナス側へ集まる特性を利用して、地表へ電極を差込み直流電流を流し、地下水を抜こうとした。しかし、地山は地下水で滲む程度で、水抜きパイプからは殆ど排出されず、地下水位の低下にまでは至らなかった。原因は、上記したように膨張性に富む吸水性のよい粘土鉱物を含むためと、地山の土が、水抜きパイプへ密着し、ストレーナー部も土で詰まっているために、地下水がパイプ内に入り込む余地がないからである。
【０００７】
【課題を解決するための手段】
本発明は、これまで回収できなかった、粘土質地盤の地下水を、水抜きボーリングで抜水し、地すべりの安全水位を満足できる、経済的な排水技術を提供するものである。
【０００８】
本発明のかかえる課題を色々考えた。地下水は直流電流のマイナス側に集まることが分かった。したがって、集められた地下水を何らかの方法で、水抜きパイプへ呼び込めばよいのである。
【０００９】
そこで、土に振動を加えると、表面に水が浮かび上がる現象思いだし、水抜きパイプ内へ、コンクリートを打設する時に使用するバイブレーターを挿入し、起振を与えてみた。
【００１０】
【作用】
その結果、水抜きパイプには、地山から地下水が集まり、パイプの口もから地表に排出された。
【００１１】
【発明の実施の形態】
地すべり地内に施工された、水抜きボーリング孔（５）の口元の地表（１）へ、マイナス側電極（１３）を差込んだり、ボーリング孔（５）内に電極（１３）を挿入する。プラス側電極（１４）は、水抜きボーリング孔（５）の直上もしくは、周辺の山腹部や滑落崖上の地表（１）へ差込む。それらの電極（１３・１４）は、必要に応じて複数セットする。その電極（１３・１４）へ、まず、発電機（８）から整流器（１２）へ電源コード（１０）を配線し、整流器（１２）からマイナス電流用コード（１１）は、ボーリング孔（５）口元やボーリング孔（５）内に挿入されているマイナス電極（１３）へつなぐ。プラス電流用コード（１３）は山腹等に差込まれているプラス電極（１４）につなぐ。
【００１２】
コンクリート打設用バイブレーター（１７）を、ボーリング孔（５）内に挿入し、バイブレーター用コード（１６）を発電機（８）差込みプラグ（９）へ差込む。
【００１３】
セットされた電極（１３・１４）とバイブレーター（１７）へ、発電機（８）から電流を流し、電気浸透法でマイナス側電極（１３）のボーリング孔（５）付近へ地下水（２０）を集め、その集められた地下水（２０）を、バイブレーター（１７）の振動で、まず、水抜きパイプ（６）とボーリング孔（５）とに隙間を造り、また。ストレーナー部に詰まっている土も排除し、地下水（５）が流れ易く、パイプ（６）内に入り易い状態にして、地山から地下水（２０）を呼込み、地下水を排出し地下水位（７）を低下する方法。
【００１４】
【発明の効果】
バイブレーターの振動で、水抜きパイプとボーリング孔とに隙間ができ、また。ストレーナー部に詰まっている土も排除され、地下水が流れ易く、パイプ内に入り易い状態となった。そして、電気浸透法で直流電流を地山へ流したところ、ボーリング孔付近は、地下水が集まり湿潤状態になった。そして、地山からバイブレーターの振動で、水抜きパイプ内に呼込み、地下水を水抜きパイプから、地表へ排出することができた。
【図面の簡単な説明】
【図１】地すべり模式断面図
【符号の説明】
１，地表
２，移動土塊
３，すべり面
４，基盤（不動地盤）
５，ボーリング孔
６，水抜きパイプ
７，地下水位
８，発電機
９，差込みプラグ
１０，電気浸透用電源コード
１１，電流用コード
１２，整流器
１３，マイナス側電極
１４，プラス側電極
１５，接続プラグ
１６，バイブレーター用コード
１７，バイブレーター
１８，振動網
１９，湿潤箇所
２０，地下水
【図１】
2004036369.tif 000003